(57)【要約】      （修正有）【課題】表示用ケース自体の注目度を大きくすると共に、展示物に展示された相撲の興業等の大入りを願うことができる表示用ケースを提供する。【解決手段】四方を枠で囲まれた窓部３を有する枠本体２と、窓部に嵌入可能な表側の透明パネル４と、裏板と、透明パネルと裏板との間に薄板状の展示物が挟み込まれた状態でこれらを係止する係止具と、枠本体の上部に設けられた入山形の屋根部７と、を備える。【選択図】図１
0003211817.tif 000002
【実用新案登録請求の範囲】
【請求項１】
四方を枠で囲まれた窓部を有する枠本体と、
前記窓部に嵌入可能な表側の透明パネルと裏板と、
前記透明パネルと前記裏板との間に薄板状の展示物が挟み込まれた状態でこれらを係止する係止具と、
前記枠本体の上部に設けられた入山形の屋根部と、
を備えることを特徴とする表示用ケース。
【請求項２】
前記展示物が相撲の番付表であることを特徴とする請求項１に記載の表示用ケース。
【請求項３】
前記枠本体と前記入山形の屋根部との間の略三角形状の妻部に妻板が設けられることを特徴とする請求項１または２に記載の表示用ケース。
【請求項４】
前記妻板には、前記展示物の展示内容を表示可能な表示部が設けられることを特徴とする請求項３に記載の表示用ケース。
【考案の詳細な説明】
【技術分野】
【０００１】
本考案は、ポスター、絵画、写真及び相撲の番付表等の薄板状の展示物を収容して壁等に吊り下げるための比較的大型の表示ケースに関する。
【背景技術】
【０００２】
従来、薄板状の展示物を収容して壁等に飾るための大型額縁として、例えば、特許文献１に記載のものが知られている。
【０００３】
特許文献１の図５に示される大型額縁は、段部を有する長尺材を、４５度の切り口同士を突き合わせ、裏面内法に沿って一段低い段部を有するように矩形のフレームに枠組みし、前記段部を利用してガラスやアクリル板等の透明パネルを嵌め込み、その裏面にポスター等を密着して裏板で押圧固定するものであって、外観形状が矩形状をしたものである。
【先行技術文献】
【特許文献】
【０００４】
【特許文献１】実開平６−９５５３号公報（第４頁、図５）
【考案の概要】
【考案が解決しようとする課題】
【０００５】
しかしながら、特許文献１に記載の大型額縁にあっては、ポスター等の展示物を収容するには適しているが、外観形状が平凡な矩形状であるため、大型額縁自体に対する注目度が小さいため、大型額縁に収容された展示物の持つ広告又は宣伝の効果も限られたものであった。
【０００６】
本考案は、このような問題点に着目してなされたもので、表示用ケース自体の注目度を大きくすると共に、展示物に展示された興業等の大入りを願うことができる表示用ケースを提供することを目的とする。
【課題を解決するための手段】
【０００７】
前記課題を解決するために、本考案の表示用ケースは、第１に、
四方を枠で囲まれた窓部を有する枠本体と、前記窓部に嵌入可能な表側の透明パネルと裏板と、前記透明パネルと前記裏板との間に薄板状の展示物が挟み込まれた状態でこれらを係止する係止具と、前記枠本体の上部に設けられた入山形の屋根部と、
を備えることを特徴としている。
この特徴によれば、表示用ケース自体の注目度を大きくすることができると共に、展示物に展示された興業等の大入りを願うことができる表示用ケースを提供することができる。
【０００８】
また、本考案の表示用ケースは、第２に、
前記展示物が相撲の番付表であることを特徴としている。
この特徴によれば、入山形の屋根部と相撲の番付表との相性がよく、入山形の屋根部から展示内容が相撲の番付であることを想像することができ、多くの人の関心を集めることができる。また、入山形の屋根部から相撲興業の大入りを願うこともできる。
【０００９】
また、本考案の表示用ケースは、第３に、
前記枠本体と前記入山形の屋根部との間の略三角形状の妻部に妻板が設けられることを特徴としている。
この特徴によれば、枠本体と入山形の屋根部との一体感を持たせることができる。
【００１０】
また、本考案の表示用ケースは、第４に、
妻板には、前記展示物の展示内容を表示可能な表示部が設けられることを特徴としている。
この特徴によれば、展示内容を簡潔に表現することができる。
【図面の簡単な説明】
【００１１】
【図１】本考案の実施例１に係る表示用ケースの正面図である。
【図２】図１のＡ−Ａ矢視図である。
【図３】本考案の実施例１に係る表示用ケースの背面図である。
【図４】図１のＢ−Ｂ矢視図である。
【考案を実施するための形態】
【００１２】
以下に図面を参照して、この考案を実施するための形態を、実施例に基づいて例示的に説明する。ただし、この実施例に記載されている構成部品の寸法、材質、形状、その相対的配置などは、特に明示的な記載がない限り、本考案の範囲をそれらのみに限定する趣旨のものではない。
【実施例１】
【００１３】
本考案の実施例１に係る表示用ケースにつき、図１から図４を参照して説明する。
【００１４】
図１ないし図４に示されるように、本考案の表示用ケース１は、主として、四方を枠で囲まれた窓部３を有する枠本体２と、窓部３に嵌入可能な表側の透明パネル４と、同じく窓部３に嵌入可能な裏側の裏板５と、透明パネル４と裏板５との間に薄板状の展示物２０が挟み込まれた状態でこれらを係止する係止具６と、枠本体２の上部に設けられた入山形の屋根部７と、枠本体２と屋根部７との間の略三角形状の妻部に設けられた妻板８とを備えている。
【００１５】
枠本体２は、１対の縦枠２ａ、２ａ、上方の横枠２ｂ、及び、下方の横枠２ｃから構成されており、縦枠２ａ、２ａと上方の横枠２ｂ及び下方の横枠２とは縦枠２ａ、２ａの内側に設けられたほぞ穴に上方の横枠２ｂ及び下方の横枠２の両端部のほぞが嵌入されることにより結合されている。
図２に示されるように、縦枠２ａ、２ａと上方の横枠２ｂ及び下方の横枠２ｃとは、側面視において、裏面側が面一に合わされており、表面側は上方の横枠２ｂ及び下方の横枠２ｃの板厚が縦枠２ａ、２ａの板厚より薄いため、上方の横枠２ｂ及び下方の横枠２ｃの表面は縦枠２ａ、２ａの表面より奥まった位置にあり、立体的な形状に形成されている。   なお、枠本体２を構成する１対の縦枠２ａ、２ａ、上方の横枠２ｂ、及び、下方の横枠２ｃは、例えば、木材により形成される。
【００１６】
窓部３は、枠本体２の１対の縦枠２ａ、２ａ、上方の横枠２ｂ及び下方の横枠２ｃにより形成されるものであり、図１においては、薄板状の展示物２０が相撲の番付表であるため、番付表の形状に合わせてやや縦長の矩形をしている。
【００１７】
図４に示すように、窓部３の断面構造は、表面側の窓部３の大きさが小さく、裏面側の窓部３の大きさが大きい段差形状に形成されている。裏面側の段差部３ａは、縦枠２ａ、２ａ、上方の横枠２ｂ及び下方の横枠２ｃの裏面側が一定厚さで削られることにより形成される。裏面側の大きい窓部３側から、透明パネル４、薄板状の展示物である相撲の番付表２０及び裏板５が順に嵌め込まれる。嵌め込まれた透明パネル４、番付表２０及び裏板５は段差部３ａに当接して位置決めされる。
【００１８】
図３及び図４に示すように、縦枠２ａ、２ａ、上方の横枠２ｂ及び下方の横枠２ｃの裏面には複数の係止具６が設けられている。係止具６は回転軸６ａを支点として回動自在に取り付けられ、係止時には窓枠内に突出し、非係止時には窓枠外に退避する。
透明パネル４、番付表２０及び裏板５が窓部３に嵌め込まれた状態において、係止具６が窓部３の内方に回動され、窓枠内に突出して裏板５の裏面側への移動を防止する。
この状態において、透明パネル４、番付表２０及び裏板５が窓部３に固定される。
【００１９】
図１に示すように、枠本体２の上部には入山形の屋根部７が設けられる。
図１において、入山形の屋根部７は、右肩下がりの長辺部材７ａと左肩下がりの短辺部材７ｂとから構成されている。
枠本体２の上部の右側は右肩下がりに、また、左側は左肩下がりに切り落とされて、それぞれ、長辺部材７ａの下面７ａｃ及び短辺部材７ｂの下面７ｂｃと当接し、この接合部２ｄにおいて接着等を介して長辺部材７ａ及び短辺部材７ｂを固定している。
図２に示すように、側面視において屋根部７の幅Ｂは枠本体２の幅ｂよりも大きく設定され、屋根部７が枠本体２よりも前後に張り出す形状に設定されている。
【００２０】
図１に示すように、長辺部材７ａの上端７ａａは枠本体２の幅の中央より左側まで延び、下端７ａｂは縦枠２ａより外側まで延びている。枠本体２の幅の中央付近において長辺部材７ａの下面７ａｃに短辺部材７ｂの上端７ｂａが当接し、入山形を形成している。長辺部材７ａの下面７ａｃと短辺部材７ｂの上端７ｂａとの当接部は接着剤等を介して固定される。
【００２１】
図１及び図２に示すように、枠本体２と入山形の屋根部７との間の略三角形状の妻部に妻板８が設けられる。妻板８は、単板あるいは合板で形成されるが、少なくとも表面側はきれいに仕上げられている。
【００２２】
妻板８の表面側には、展示物の展示内容等を表示可能な表示部９が設けられている。
表示部９には、下辺及び両側辺の３辺に、断面が凹形状の受け部材が設けられ、上辺側から表示部材が着脱自在に挿入できるように構成されている。
本例では、表示部９には「相撲番付表」の文字が刻まれた表示板１０が着脱自在に取り付けられている。
また、表示板１０には、相撲番付表の文字と共に、大入りを願って「大入」等の文字が刻まれてもよい。
【００２３】
図３に示すように、枠本体２の１対の縦枠２ａ、２ａの裏面には、それぞれ、フック１１、１１が設けられ、表示用ケース１を壁等に取り付けるための紐がフック１１、１１に装着可能にされている。
【００２４】
このように構成された実施例１に係る表示用ケース１は以下のような優れた効果を奏する。
（１）表示用ケース１は、四方を枠で囲まれた窓部を有する枠本体２と、窓部３に嵌入可能な表側の透明パネル４と裏板５と、透明パネル４と裏板５との間に薄板状の展示物２０が挟み込まれた状態でこれらを係止する係止具６と、枠本体２の上部に設けられた入山形の屋根部７と、を備えることにより、表示用ケース自体の注目度を大きくすることができると共に、展示物に展示された興業等の大入りを願うことができる表示用ケースを提供することができる。
（２）展示物２０が相撲の番付表であることにより、入山形の屋根部７と相撲の番付表との相性がよく、入山形の屋根部７から展示内容が相撲の番付であることを想像することができ、多くの人の関心を集めることができる。また、入山形の屋根部７から相撲興業の大入りを願うこともできる。
（３）枠本体２と入山形の屋根部７との間の略三角形状の妻部に妻板８が設けられることにより、枠本体２と入山形の屋根部７との一体感を持たせることができる。
（４）妻板８には、展示物の展示内容を表示可能な表示部が設けられることにより、展示内容を簡潔に表現することができる。また、表示部に表示板を着脱自在に装着することにより、展示内容に応じて対応することができる。
【００２５】
以上、本考案の実施例を図面により説明してきたが、具体的な構成はこれら実施例に限られるものではなく、本考案の要旨を逸脱しない範囲における変更や追加があっても本考案に含まれる。
【００２６】
たとえば、枠本体２及び屋根部７は木材に限らず、合成樹脂から形成されてもよい。
【００２７】
また、たとえば、枠本体２及び屋根部７に塗装を施し、枠本体２を白色に屋根部７を黒色に、あるいは、反対の色などに色付けしてもよい。
【符号の説明】
【００２８】
１                    表示用ケース
２                    枠本体
２ａ                  縦枠
２ｂ                  上方の横枠
２ｃ                  下方の横枠
２ｄ                  接合部
３                    窓部
３ａ                  段差部
４                    透明パネル
５                    裏板
６                    係止具
７                    屋根部
７ａ                  長辺部材
７ｂ                  短辺部材
８                    妻板
９                    表示部
１０                  表示板
２０                  展示物
【図１】
0003211817.tif 000003
【図２】
0003211817.tif 000004
【図３】
0003211817.tif 000005
【図４】
0003211817.tif 000006